(57)【要約】【課題】取り外しが容易であって、且つ破損のおそれが低減されたフェイスプレート、および、フェイスプレートを有する電子装置を提供する。【解決手段】基板１８に取り付けられ、該基板１８がスロット１４に挿入されたときに該スロット１４の開口部１４ａを覆うフェイスプレート２０は、基板１８がスロット１４から抜けないようにスロット１４に係合する係合部材３０を備え、係合部材３０には、スロット１４との係合を治具１２により解除するときにおいて、該治具１２を少なくとも基板１８のスロット１４からの抜出方向に引っ張ったときに該治具１２と係合する治具係合部３６が設けられる。【選択図】図１
2020107723.tif 000002
【特許請求の範囲】
【請求項１】
基板に取り付けられ、該基板がスロットに挿入されたときに該スロットの開口部を覆うフェイスプレートであって、
前記基板が前記スロットから抜けないように前記スロットに係合する係合部材を備え、
前記係合部材には、前記スロットとの係合を治具により解除するときにおいて、該治具を少なくとも前記基板の前記スロットからの抜出方向に引っ張ったときに該治具と係合する治具係合部が設けられている、フェイスプレート。
【請求項２】
請求項１に記載のフェイスプレートであって、
前記係合部材は、
前記スロットと係合する係合部と、
前記係合部を支持する弾性支持部と、
を有し、
前記弾性支持部は、前記係合部が前記スロット方向とは反対方向に付勢された場合に、その付勢力に抗した力を前記係合部に与える、フェイスプレート。
【請求項３】
請求項２に記載のフェイスプレートであって、
前記フェイスプレートの端部には、前記抜出方向とは反対の挿入方向に沿って前記治具が挿入されるように凹んだ凹部を有し、
前記弾性支持部は、前記凹部に設けられている、フェイスプレート。
【請求項４】
請求項３に記載のフェイスプレートであって、
前記弾性支持部は、前記凹部の底部から前記挿入方向に前記スロット側に向かって斜めに延びており、
前記係合部は、前記弾性支持部の先端部の前記スロット側に設けられている、フェイスプレート。
【請求項５】
請求項４に記載のフェイスプレートであって、
前記治具係合部は、前記弾性支持部の前記スロット側に設けられた凸部または凹部である、フェイスプレート。
【請求項６】
請求項３に記載のフェイスプレートであって、
前記弾性支持部は、略Ｕ字状の形状であって、前記凹部の底部から前記挿入方向に沿って延びる第１部材、前記第１部材よりも前記スロット側に配置され、且つ前記挿入方向に延びる第２部材、および前記第１部材と前記第２部材とを接続する第３部材を有し、
前記係合部は、前記第２部材の前記スロット側に設けられている、フェイスプレート。
【請求項７】
請求項６に記載のフェイスプレートであって、
前記治具係合部は、
前記第２部材の前記抜出方向側の端部から前記凹部の底部に向かって延びた延出部と、
前記挿入方向に沿って前記延出部に形成された孔と、
を有する、フェイスプレート。
【請求項８】
請求項１〜７のいずれか１項に記載のフェイスプレートを有する、電子装置。
【発明の詳細な説明】
【技術分野】
【０００１】
本発明は、フェイスプレートおよび電子装置に関する。
【背景技術】
【０００２】
下記特許文献１のように、電子装置には、スロットが設けられた筐体と、スロットに挿入される基板と、基板に取り付けられたフェイスプレートと、を有するものがある。フェイスプレートは、スロットを覆うことにより、基板が抜け落ちることを防止する。下記特許文献１では、フェイスプレートをピン留めによってスロットに対して固定している。
【先行技術文献】
【特許文献】
【０００３】
【特許文献１】特開２０１１−０７１３９６号公報
【発明の概要】
【発明が解決しようとする課題】
【０００４】
スロットに挿抜可能な基板に取り付けられるフェイスプレートは、スロットに対して容易に脱着可能であることが好ましい。
【０００５】
しかしながら、上記特許文献１では、フェイスプレートをスロットに対して固定するための手段として、ピン留めが採用されている。ピン留めやネジ留めによってフェイスプレートをスロットに固定する場合、フェイスプレートをスロットから取り外すときに、先立ってピン外しやネジ外しを行わなければならない。これは、フェイスプレートをスロットから容易に取り外すという観点では効率が悪く、好ましくない。
【０００６】
また、フェイスプレートをスロットに対して容易に脱着可能とするという観点では、オペレータがつまんで引っ張るための摘み部をフェイスプレートの表面に設けることも考えられる。しかしながら、その場合、摘み部が筐体の表面から突出してしまう。そのような摘み部は、破損の危険性が高い。
【０００７】
そこで、本発明は、取り外しが容易であって、且つ破損のおそれが低減されたフェイスプレート、および、該フェイスプレートを有する電子装置を提供することを目的とする。
【課題を解決するための手段】
【０００８】
発明の一態様は、基板に取り付けられ、該基板がスロットに挿入されたときに該スロットの開口部を覆うフェイスプレートであって、前記基板が前記スロットから抜けないように前記スロットに係合する係合部材を備え、前記係合部材には、前記スロットとの係合を治具により解除するときにおいて、該治具を少なくとも前記基板の前記スロットからの抜出方向に引っ張ったときに該治具と係合する治具係合部が設けられている。
【０００９】
発明のもう一つの一態様は、電子装置であって、第１の発明のフェイスプレートを有する。
【発明の効果】
【００１０】
本発明によれば、取り外しが容易であって、且つ破損のおそれが低減されたフェイスプレート、および、該フェイスプレートを有する電子装置が提供される。
【図面の簡単な説明】
【００１１】
【図１】実施の形態の電子装置および治具の斜視図である。
【図２】図２Ａは、実施の形態のフェイスプレートの斜視図である。図２Ｂは、図２Ａの別視点の図である。
【図３】図３Ａは、実施の形態のフェイスプレートが取り付けられた電子装置の上面図である。図３Ｂは、図３Ａの電子装置に治具を挿入したときの上面図である。
【図４】図４Ａは、変形例のフェイスプレートの斜視図である。図４Ｂは、図４Ａの別視点の図である。
【図５】図５Ａは、変形例のフェイスプレートが取り付けられた電子装置の上面図である。図５Ｂは、図５Ａの電子装置に治具を挿入したときの上面図である。
【発明を実施するための形態】
【００１２】
本発明について、好適な実施の形態を挙げ、添付の図面を参照しながら以下、詳細に説明する。なお、以下に記載する各方向は、各図面に示した矢印が指示す方向に従っているものとする。
【００１３】
［実施の形態］
図１は、実施の形態の電子装置１０および治具１２の斜視図である。
【００１４】
電子装置１０は、例えば数値制御装置である。電子装置１０は、スロット１４が設けられた筐体１６と、スロット１４に挿入される基板１８と、基板１８に取り付けられたフェイスプレート２０と、を有する。
【００１５】
スロット１４は、基板１８を上下方向に挟んで案内する一対のガイドレール２２を有していてもよい。ガイドレール２２を設けることで、挿入方向（前方向）に沿って基板１８をスロット１４に挿入することがオペレータにとって容易となる。言うまでもないが、スロット１４に挿入された基板１８は、抜出方向（後方向）に沿ってスロット１４から抜出されてもよい。
【００１６】
基板１８は、表面または内部に電気回路が形成されている。また、基板１８は、挿入方向側の端部に第１コネクタ１８ａを有するとともに、抜出方向側の端部に外部端子１８ｂを有する。外部端子１８ｂは、スロット１４に挿入された状態の基板１８と、電子装置１０以外の外部機器とを接続可能とするために設けられる。外部端子１８ｂは、適宜省略されてもよい。
【００１７】
筐体１６の内部であってスロット１４の奥側には、バックボード２４が配置される（図３Ａ参照）。バックボード２４は、第２コネクタ２４ａを有する。バックボード２４の第２コネクタ２４ａは、スロット１４に挿入された基板１８の第１コネクタ１８ａに接続可能である。本実施の形態の電子装置１０においては、第１コネクタ１８ａと第２コネクタ２４ａとが相互に接続されることで、基板１８とバックボード２４とが電気的に接続される。なお、本実施の形態では、筐体１６に形成されるスロット１４の数は、とくに限定されない。
【００１８】
フェイスプレート２０は、基板１８の抜出方向側の端部に取り付けられている。フェイスプレート２０は、基板１８がスロット１４に挿入されたときに、スロット１４の開口部１４ａを覆う。フェイスプレート２０がスロット１４の開口部１４ａを覆うことにより、基板１８がスロット１４から抜け落ちることが防止される。
【００１９】
フェイスプレート２０は、上述したように、基板１８に取り付けられている。したがって、本実施の形態では、フェイスプレート２０をスロット１４から取り外す作業と、基板１８をスロット１４から抜出す作業とが、一体的に行われる。本実施の形態のフェイスプレート２０は、詳細には後述するが、先端部に治具側凸部１２ａが設けられた治具１２を使うことでスロット１４から取り外すことができる。
【００２０】
図２Ａは、実施の形態のフェイスプレート２０の斜視図である。また、図２Ｂは、図２Ａの別視点の図である。
【００２１】
フェイスプレート２０は、基板１８がスロット１４に挿入されたとき該スロット１４の開口部１４ａを覆う部分であるプレート部材２６を有する。プレート部材２６には、基板１８の外部端子１８ｂを外部機器と接続させるための端子用開口部２０ａが設けられる。この端子用開口部２０ａは、基板１８が外部端子１８ｂを有さない場合には、省略されてもよい。
【００２２】
プレート部材２６は、左右方向における両端部に、挿入方向に沿って治具１２が挿入されるように凹んだ凹部２８（２８Ｒ、２８Ｌ）を有する。また、プレート部材２６は、凹部２８に設けられた係合部材３０（３０Ｒ、３０Ｌ）を有する。係合部材３０は、フェイスプレート２０をスロット１４に取り付けるために設けられる部材である。係合部材３０は、プレート部材２６の凹部２８の底部２８ａに設けられた弾性支持部３２（３２Ｒ、３２Ｌ）と、弾性支持部３２の先端に支持された係合部３４（３４Ｒ、３４Ｌ）と、を有する。この係合部３４は、スロット１４と係合するために設けられている。
【００２３】
弾性支持部３２は、弾性を有する。また、本実施の形態では、弾性支持部３２のみならず、プレート部材２６および係合部３４も、弾性支持部３２と同じ材料で形成されていることとする。プレート部材２６と係合部材３０（弾性支持部３２、係合部３４）とを同一の材料により形成することで、フェイスプレート２０の製造に必要な材料の品目数が増加することを抑制することができる。これにより、例えば、フェイスプレート２０の材料調達および製造が容易となる。
【００２４】
フェイスプレート２０の弾性支持部３２は、フェイスプレート２０をスロット１４に取り付けたときに、プレート部材２６の凹部２８の底部２８ａから挿入方向にスロット１４側に向かって斜めに延びるように設けられる。すなわち、図２Ａのように、フェイスプレート２０の右側に位置する弾性支持部３２Ｒは、プレート部材２６の凹部２８Ｒから挿入方向右斜めに向かって延びるように設けられる。また、図２Ｂのように、フェイスプレート２０の左側に位置する弾性支持部３２Ｌは、プレート部材２６の凹部２８Ｌから挿入方向左斜めに向かって延びるように設けられる。
【００２５】
係合部３４Ｒは、弾性支持部３２Ｒの先端部の右側に設けられる。また、係合部３４Ｌは、弾性支持部３２Ｌの先端部の左側に設けられる。係合部３４は、図２Ａ、および図２Ｂのように、凸部を有する。係合部３４の凸部の先端は、フェイスプレート２０をスロット１４に取り付けたときに、スロット１４側を向く。すなわち、図２Ａのように、係合部３４Ｒの凸部の先端は、右方向を向く。また、図２Ｂのように、係合部３４Ｌの凸部の先端は、左方向を向く。
【００２６】
また、弾性支持部３２には、係合部３４のほか、治具係合部３６（３６Ｒ、３６Ｌ）が設けられる。図２Ａのように、治具係合部３６Ｒは、弾性支持部３２Ｒの右側に設けられている。また、図２Ｂのように、治具係合部３６Ｌは、弾性支持部３２Ｌの左側に設けられている。
【００２７】
治具係合部３６は、本実施の形態では、凹部を有する。治具係合部３６の凹部は、後述するスロット１４との係合を治具１２により解除するときにおいて、治具１２を少なくとも基板１８のスロット１４からの抜出方向に引っ張ったときに治具側凸部１２ａと係合する部位である。なお、治具係合部３６は、凹部ではなく凸部を有してもよい。治具係合部３６が凸部を有する場合、治具係合部３６の凸部と係合する凹部を治具１２に設ければよい。
【００２８】
図３Ａは、実施の形態のフェイスプレート２０が取り付けられた電子装置１０の上面図である。
【００２９】
図３Ａのように、スロット１４の左右方向の両端部には、フェイスプレート２０の係合部３４と係合するスロット側凹部３８（３８Ｒ、３８Ｌ）が設けられる。基板１８がスロット１４に挿入されると、スロット１４の右方向側において、スロット１４から弾性支持部３２Ｒに力（圧力）が与えられる。これにより、弾性支持部３２Ｒは、スロット１４方向（右方向）とは反対方向（左方向）に付勢される。このとき、弾性支持部３２Ｒは、その付勢力に抗した右方向の力を、自身が支持した係合部３４Ｒに与える。この結果、スロット１４の右方向側において、フェイスプレート２０の係合部３４Ｒと、スロット１４のスロット側凹部３８Ｒとが良好に係合される。
【００３０】
同様に、スロット１４の左方向側において、スロット１４から弾性支持部３２Ｌに右方向の付勢力が与えられる。そして、右方向の付勢力が与えられた弾性支持部３２Ｌは、その付勢力に抗した左方向の力を、自身が支持した係合部３４Ｌに与える。これにより、スロット１４の左方向側においても、フェイスプレート２０の係合部３４Ｌと、スロット１４のスロット側凹部３８Ｌとが良好に係合される。
【００３１】
なお、スロット１４から圧力を与えられる弾性支持部３２は、弾性により撓むことができる。したがって、本実施の形態では、スロット１４から与えられる圧力によって係合部材３０が破損するおそれが低減されている。また、同様の理由により、本実施の形態では、フェイスプレート２０の係合部材３０がスロット１４の開口部１４ａに引っ掛かってしまい、それによって基板１８の挿入が阻害されるといったおそれも低減されている。
【００３２】
図３Ｂは、図３Ａの電子装置１０に治具１２を挿入したときの上面図である。
【００３３】
以下、フェイスプレート２０とスロット１４との係合を治具１２により解除するときの手順を説明する。まず、プレート部材２６の凹部２８Ｒ、２８Ｌのそれぞれに、前方向（基板１８の挿入方向）に沿って治具１２を挿入する。これにより、治具側凸部１２ａを含む治具１２の先端部がスロット１４の内部に進入するとともに、治具１２と係合部材３０とが接触する。
【００３４】
次に、治具１２と係合部材３０とが接触した状態で、治具１２を介して係合部材３０に力を加える。図３Ｂの例では、係合部材３０Ｒに左方向の力を加えている。これにより、弾性支持部３２Ｒが、スロット１４方向（右方向）とは反対方向（左方向）に押し込まれる。また、図３Ｂの例では、係合部材３０Ｌに右方向の力を加えている。これにより、弾性支持部３２Ｌが、スロット１４方向（左方向）とは反対方向（右方向）に押し込まれる。弾性支持部３２をスロット１４方向とは反対方向に押し込むことで、フェイスプレート２０の係合部３４とスロット側凹部３８との係合が解除される。なお、係合部材３０が治具１２に押し込まれたとき、該係合部材３０の有する弾性支持部３２は、弾性により撓むことができる。これにより、本実施の形態では、治具１２から与えられる圧力で係合部材３０が破損するおそれが低減される。
【００３５】
また、上述したように、フェイスプレート２０の弾性支持部３２のスロット１４側には、凹部を有した治具係合部３６が設けられている。治具係合部３６の凹部に治具１２の治具側凸部１２ａを押し付けることで、治具係合部３６と治具１２とが良好に係合する。そして、治具係合部３６と治具１２とを係合させた状態のままで治具１２を抜出方向に引っ張ることにより、フェイスプレート２０が容易にスロット１４から取り外される。このとき、オペレータがつまんで引っ張るための摘み部といった、外側に突出した部位がフェイスプレート２０に設けられている必要はない。
【００３６】
以上で説明されるように、本実施の形態の電子装置１０が有するフェイスプレート２０は、オペレータが治具１２を用いて力を与えながら引っ張るだけで、スロット１４から取り外される。したがって、フェイスプレート２０は、ネジやピンによって固定される従来品と比較して、取り外しが容易である。また、フェイスプレート２０は、外側に突出した部位を有する必要がない。したがって、フェイスプレート２０は、外部との接触によって破損するおそれが低減されている。また、本実施の形態では、フェイスプレート２０の係合部材３０とスロット１４とを係合させている。係合部材３０にはスロット１４や治具１２から圧力が与えられるが、係合部材３０の弾性支持部３２が弾性を有しているため、該圧力によって係合部材３０が破損するおそれも低減されている。
【００３７】
［変形例］
以上、本発明の一例として実施の形態が説明されたが、上記実施の形態に、多様な変更または改良を加えることが可能であることはもちろんである。その様な変更または改良を加えた形態も本発明の技術的範囲に含まれ得ることが、特許請求の範囲の記載から明らかである。
【００３８】
図４Ａは、変形例のフェイスプレート２０’の斜視図である。また、図４Ｂは、図４Ａの別視点の図である。
【００３９】
図４Ａおよび図４Ｂのように、係合部材３０の弾性支持部３２は、略Ｕ字状の形状でもよい。以下、実施の形態と区別するために、変形例における弾性支持部３２（３２Ｒ、３２Ｌ）を、弾性支持部３２’（３２Ｒ’、３２Ｌ’）とも記載する。弾性支持部３２’は、第１部材４０、第２部材４２、および第３部材４４を有する。第１部材４０は、プレート部材２６の凹部２８の底部２８ａから挿入方向に沿って延びる部材である。第２部材４２は、第１部材４０よりもスロット１４側に配置され、且つ挿入方向に延びる部材である。第３部材４４は、第１部材４０と第２部材４２とを接続する部材である。
【００４０】
変形例では、係合部３４’（３４Ｒ’、３４Ｌ’）および治具係合部３６’を第２部材４２に設ける。係合部３４’は、凸部を有する。係合部３４’の凸部の先端は、フェイスプレート２０’をスロット１４に取り付けたときにスロット１４側を向く。すなわち、図４Ａのように、係合部３４Ｒ’の凸部の先端は、右方向を向く。また、図４Ｂのように、係合部３４Ｌ’の凸部の先端は、左方向を向く。
【００４１】
治具係合部３６’は、第２部材４２の抜出方向側の端部から凹部２８の底部２８ａ（プレート部材２６の方向）に向かって延びた延出部４６と、挿入方向に沿って延出部４６に形成された孔４８と、を有する。孔４８は、後述するように、治具１２’を挿入して引っ掛けるために形成されるものである。
【００４２】
図５Ａは、変形例のフェイスプレート２０’が取り付けられた電子装置１０の上面図である。また、図５Ｂは、図５Ａの電子装置１０に治具１２’を挿入したときの上面図である。なお、図５Ｂ中のフキダシ内には、引出線で示された箇所をスロット１４の内側（前方向側）から見たときの様子を示している。
【００４３】
図５Ａのように、変形例においても、スロット１４の左右方向側のそれぞれにおいて、フェイスプレート２０’の係合部３４’と、スロット１４のスロット側凹部３８とが良好に係合される。
【００４４】
変形例において、フェイスプレート２０’をスロット１４から取り外すときのオペレータの操作手順を説明する。まず、オペレータは、治具１２’をフェイスプレート２０’の凹部２８に挿入する。次いで、オペレータは、治具係合部３６’の孔４８に、治具１２’の先端部（ツメ）を引っ掛ける。これにより、治具１２’と治具係合部３６’とが係合する。
【００４５】
治具１２’と治具係合部３６’とが係合した後、オペレータは、治具１２’を介して、スロット１４とは反対方向の力を係合部材３０’に与える。すなわち、オペレータは、図５Ｂのように、治具１２’を介して左方向の力を弾性支持部３２Ｒ’に与える。これにより、スロット１４の右方向側におけるフェイスプレート２０’とスロット１４との係合が容易に解除される。また、オペレータは、治具１２’を介して右方向の力を弾性支持部３２Ｌ’に与える。これにより、スロット１４の左方向側におけるフェイスプレート２０’とスロット１４との係合が容易に解除される。
【００４６】
オペレータは、係合部材３０Ｒ’とスロット１４との係合、および、係合部材３０Ｌ’とスロット１４との係合が解除された状態で治具１２’を抜出方向に引っ張ることにより、フェイスプレート２０’をスロット１４から容易に取り外すことができる。
【００４７】
以上で説明されるように、変形例においても、電子装置１０が有するフェイスプレート２０’は、スロット１４からの取り外しが容易であって、且つ破損のおそれが低減されている。
【００４８】
［実施の形態から得られる発明］
上記実施の形態および変形例から把握しうる発明について、以下に記載する。
【００４９】
＜第１の発明＞
基板（１８）に取り付けられ、該基板（１８）がスロット（１４）に挿入されたときに該スロット（１４）の開口部（１４ａ）を覆うフェイスプレート（２０、２０’）であって、前記基板（１８）が前記スロット（１４）から抜けないように前記スロット（１４）に係合する係合部材（３０）を備え、前記係合部材（３０）には、前記スロット（１４）との係合を治具（１２、１２’）により解除するときにおいて、該治具（１２、１２’）を少なくとも前記基板（１８）の前記スロット（１４）からの抜出方向に引っ張ったときに該治具（１２、１２’）と係合する治具係合部（３６、３６’）が設けられている。
【００５０】
これにより、フェイスプレート（２０、２０’）をスロット（１４）から取り外すことが容易となり、且つ破損のおそれが低減される。
【００５１】
前記係合部材（３０）は、前記スロット（１４）と係合する係合部（３４、３４’）と、前記係合部（３４、３４’）を支持する弾性支持部（３２、３２’）と、を有し、前記弾性支持部（３２、３２’）は、前記係合部（３４、３４’）が前記スロット（１４）方向とは反対方向に付勢された場合に、その付勢力に抗した力を前記係合部（３４、３４’）に与えてよい。これにより、例えば、フェイスプレート（２０、２０’）とスロット（１４）とが良好に係合される。
【００５２】
前記フェイスプレート（２０、２０’）の端部には、前記抜出方向とは反対の挿入方向に沿って前記治具（１２、１２’）が挿入されるように凹んだ凹部（２８）を有し、前記弾性支持部（３２、３２’）は、前記凹部（２８）に設けられてよい。これにより、例えば、凹部（２８）を介して治具（１２、１２’）を挿入することが容易となる。
【００５３】
前記弾性支持部（３２）は、前記凹部（２８）の底部（２８ａ）から前記挿入方向に前記スロット（１４）側に向かって斜めに延びており、前記係合部（３４）は、前記弾性支持部（３２）の先端部の前記スロット（１４）側に設けられてよい。これにより、例えば、フェイスプレート（２０）とスロット（１４）とが良好に係合される。
【００５４】
前記治具係合部（３６、３６’）は、前記弾性支持部（３２、３２’）の前記スロット（１４）側に設けられた凸部または凹部でよい。これにより、例えば、治具係合部（３６、３６’）が凹部である場合には、治具（１２、１２’）に設けた凸部（１２ａ）と係合させることができる。
【００５５】
前記弾性支持部（３２’）は、略Ｕ字状の形状であって、前記凹部（２８）の底部（２８ａ）から前記挿入方向に沿って延びる第１部材（４０）、前記第１部材（４０）よりも前記スロット（１４）側に配置され、且つ前記挿入方向に延びる第２部材（４２）、および前記第１部材（４０）と前記第２部材（４２）とを接続する第３部材（４４）を有し、前記係合部（３４）は、前記第２部材（４２）の前記スロット（１４）側に設けられてよい。これにより、例えば、フェイスプレート（２０’）とスロット（１４）とが良好に係合される。
【００５６】
前記治具係合部（３６’）は、前記第２部材（４２）の前記抜出方向側の端部から前記凹部（２８）の底部（２８ａ）に向かって延びた延出部（４６）と、前記挿入方向に沿って前記延出部（４６）に形成された孔（４８）と、を有してよい。これにより、例えば、治具係合部（３６’）の孔（４８）に治具（１２’）の先端部（ツメ）を引っ掛け、スロット（１４）側とは反対方向に付勢することで、フェイスプレート（２０’）と、スロット（１４）との係合が容易に解除される。
【００５７】
＜第２の発明＞
第１の発明のフェイスプレート（２０、２０’）を有する、電子装置（１０）。
【００５８】
これにより、電子装置（１０）において、フェイスプレート（２０、２０’）をスロット（１４）から取り外すことが容易となり、且つ破損のおそれが低減される。
【符号の説明】
【００５９】
１０…電子装置                          １２、１２’…治具
１２ａ…治具側凸部                      １４…スロット
１４ａ…開口部                          １６…筐体
１８…基板                              １８ａ…第１コネクタ
２０…フェイスプレート                  ２２…ガイドレール
２４…バックボード                      ２４ａ…第２コネクタ
２６…プレート部材                      ２８（２８Ｒ、２８Ｌ）…凹部
３０（３０Ｒ、３０Ｌ）…係合部材
３２（３２Ｒ、３２Ｌ）、３２’（３２Ｒ’、３２Ｌ’）…弾性支持部
３４（３４Ｒ、３４Ｌ）、３４’（３４Ｒ’、３４Ｌ’）…係合部
３６（３６Ｒ、３６Ｌ）、３６’…治具係合部
３８（３８Ｒ、３８Ｌ）…スロット側凹部  ４０…第１部材
４２…第２部材                          ４４…第３部材
４６…延出部                            ４８…孔
【図１】
2020107723.tif 000003
【図２】
2020107723.tif 000004
【図３】
2020107723.tif 000005
【図４】
2020107723.tif 000006
【図５】
2020107723.tif 000007